(57)【要約】      （修正有）【課題】着用者の脚を圧迫せず着用者の健康を損わず、靴カバーのずれを解消でき、常に良好な見栄えを保つことができる靴を提供する。【解決手段】上側開口縁に靴カバー３を備えた靴において、前記靴カバーは、編地若しくは織地からなり上下に開口した筒状体とし、中央より下方の外面に面ファスナ等カバー側係脱手段を備え、カバー側係脱手段よりも上部となる少なくとも一部の箇所を折り返し代３０とし、前記靴は胴筒内面の上縁近傍に前記カバー側係脱手段に対応する靴側係脱手段２３を備え、前記カバー側係脱手段と靴側係脱手段とが係脱可能に係合し、靴の上側開口縁に対応する位置で靴カバーの折り返し代を折返して上側開口縁を被覆した構成とする。【選択図】図３
0003151622.tif 000002
【実用新案登録請求の範囲】
【請求項１】
上側開口縁に靴カバーを備えた靴において、前記靴カバーは、編地若しくは織地からなり上下に開口した筒状体とし、中央より下方の外面にカバー側係脱手段を備え、カバー側係脱手段よりも上部となる少なくとも一部の箇所を折り返し代とし、前記靴は胴筒内面の上縁近傍に前記カバー側係脱手段に対応する靴側係脱手段を備え、前記カバー側係脱手段と靴側係脱手段とが係脱可能に係合し、靴の上側開口縁に対応する位置で靴カバーの折り返し代を折返して上側開口縁を被覆した構成としたことを特徴とする靴。
【請求項２】
カバー側係脱手段及び靴側係脱手段は相互に対応する雌雄係合子を有する面ファスナとしたことを特徴とする請求項１記載の靴。
【請求項３】
上側開口縁に靴カバーを備えた靴において、前記靴カバーは、編地若しくは織地からなり上下に開口した筒状体とし、中央より下方の外面にカバー側係脱手段として雄面ファスナを備え、カバー側係脱手段よりも上部となる少なくとも一部の箇所を折り返し代とし、前記靴は内面に前記カバー側係脱手段と係脱可能な生地を備え、前記カバー側係脱手段と前記生地とが係脱可能に係合し、靴の上側開口縁に対応する位置で靴カバーの折り返し代を折返して上側開口縁を被覆した構成としたことを特徴とする靴。
【請求項４】
請求項１、２又は３記載の靴における靴カバー。
【考案の詳細な説明】
【技術分野】
【０００１】
本考案は、靴本体における上側開口縁に設けられる靴カバーを備えた靴と、該靴に使用する靴カバーに関するものである。
【背景技術】
【０００２】
従来、靴の上側開口縁に取着して靴の装飾性を向上させる種々の靴カバーが考案されている。このような靴カバーとしては、例えば、伸縮性のある帯状リング布で、ブーツの上辺部に被って使用する、着脱式のブーツ装飾品であり、当該装飾品自体のみに留め具を設けてリングの内径を変更することで、締め具合を調節できる構成を有する靴カバーと該靴カバーを備えた靴（例えば、特許文献１参照。）が公知である。
【０００３】
また、通気性があり、柔らかで弾力性のある布を縫製して作製し、足の形状に合わせて上が大きく下が小さい筒型をした装着部と、上下が密封された袷布の装飾物で、上端の縁には縫い線があり、上端部に特殊なデザインの飾り部分があり、縫い線の下の周囲に折り目、或いはウェーブ状の模様がある装飾部とからなり、装着部の大きい開口部は装飾部の縫い線とともに縫製されて一体となり、装飾部と装着部との間には、空間が形成され、安定してブーツの縁に取り付け可能であり、同時に、装飾部に対応する飾り部分があって、全体を美しく見せ、ブーツに重なって効果的に装飾効果を生み出すことを特徴とする靴カバー（例えば、特許文献２参照。）が公知である。
【０００４】
一方、靴カバーを備えた靴ではないが、足部と、該足部の上方に延びる筒状の脛部とを備えてなるブーツであって、前記脛部は、前記足部に一体的に設けられて前記足部から上方に延びる下部脛部と、前記下部脛部の上方部を覆うようにして着脱自在に設けられ前記上方部から上方に延びる上部脛部とで形成されており、前記上方部は、前記上部脛部が取り外された状態において外側へ折り返し可能な折返し部と、前記折返し部が外側へ折り返されることにより前記折返し部で覆われることとなる被折返し部とで形成されており、前記折返し部の内周面には、外装処理が施されており、前記被折返し部の外周面）には、前記上部脛部を固定する第１の止め具が設けられていることを特徴とするブーツ（例えば、特許文献３参照。）の構成が公知である。
【先行技術文献】
【特許文献】
【０００５】
【特許文献１】登録実用新案第３０７９８７８号公報
【特許文献２】登録実用新案第３０９６３６１号公報
【特許文献３】登録実用新案第３０９８６９１号公報
【考案の概要】
【考案が解決しようとする課題】
【０００６】
上記特許文献１に係る考案の基本構成によれば、使用時に靴カバーがずれる虞がある。また、上記特許文献１には、ずれを防止するための手段として、ブーツを締め付けることで固定することが開示されているが、靴カバーを締め付けることで脚を圧迫することとなり、着用者の健康を損なう虞がある。更に、度重なる靴カバーの装着により、ブーツの締め付けを行った箇所に、条跡がつき、ブーツの外観を損ねる虞がある。
【０００７】
また、特許文献２に係る考案は、その構成から幾分、靴カバーのずれを防止できるものであるが、その構成から完全にずれを解消するものではなく、根本的な解決には至らないものであった。
【０００８】
一方、特許文献３に係る考案は、ロングブーツとショートブーツを兼用できるブーツであり、靴カバーの構成を開示するものではないが、上部脛部が下部脛部の上側開口部に取着される構成であり、ずれを防止可能な構成であり、ずれない靴カバーを構成可能であるとも考えられる。しかしながら、当該構成によれば、ロングブーツの状態であっても、上側脛部を取外したショートブーツの状態であっても、常に化粧金具がブーツの表面に露呈することとなるから、決して見栄えが良いとはいえない。
【０００９】
本考案は以上の事情に鑑みてなされたものであり、着用者の脚を圧迫せず着用者の健康を損なうこともなく、靴カバーのずれを根本的に解消でき、靴カバーを取り付けた状態であっても、靴カバーを取外した状態であっても、常に良好な見栄えを保つことができる、優れた靴の提供を、考案が解決しようとする課題とする。
【課題を解決するための手段】
【００１０】
本考案は、靴本体における上側開口縁に靴カバーを備えた靴において、前記靴カバーは、編地若しくは織地からなり上下に開口した筒状体とし、中央より下方の外面にカバー側係脱手段を備え、カバー側係脱手段よりも上部となる少なくとも一部の箇所を折り返し代とし、前記靴本体は靴内面の上縁近傍に前記カバー側係脱手段に対応する靴側係脱手段を備え、前記カバー側係脱手段と靴側係脱手段とが係脱可能に係合し、靴の上側開口縁に対応する位置で靴カバーの折り返し代を折返して上側開口縁を被覆した構成としたことを特徴とする靴を、課題を解決するための手段とする。
【考案の効果】
【００１１】
請求項１に係る考案によれば、靴カバーの構成を、編地若しくは織地からなり上下に開口した筒状体とし、中央より下方の外面にカバー側係脱手段を備え、カバー側係脱手段よりも上部となる少なくとも一部の箇所を折り返し代とし、一方、靴本体は靴内面の上縁近傍に前記カバー側係脱手段に対応する靴側係脱手段を備えた構成とし、前記カバー側係脱手段と靴側係脱手段とが係脱可能に係合し、靴本体の上側開口縁に対応する位置で靴カバーの折り返し代を折返して上側開口縁を被覆した構成としたから、カバー側係脱手段と靴側係脱手段との係着によって、靴カバーが恒久的にずれることがない。そして、靴カバーを装着した状態においては、前記カバー側係脱手段と靴側係脱手段は靴本体内に隠れ、また、靴カバーをはずした状態においては、靴側係脱手段は靴内に隠れるため、外観を損なうことがない。また、靴カバーの装着によって靴を締め付けないので、着用者の脚を圧迫せず着用者の健康を損なうこともない。更に、靴カバーの装着によって何らかの条跡のような傷を生じることもなく、外観を損なわずに長期に亘って使用することができるという利点がある。
【００１２】
請求項２に係る考案によれば、上記請求項１に係る考案の作用効果を奏するものとした上で、カバー側係脱手段及び靴側係脱手段は相互に対応する雌雄係合子を有する面ファスナとしたことによって、靴カバーを外した状態で靴を着用する際には、面ファスナが柔軟性を有するため、着用者が面ファスナによる違和感を生じがたいものとすることができる。
【００１３】
請求項３に係る考案によれば、靴の上側開口縁に靴カバーを備えた靴において、前記靴カバーは、編地若しくは織地からなり上下に開口した筒状体とし、中央より下方の外面にカバー側係脱手段として雄面ファスナを備え、カバー側係脱手段よりも上部となる少なくとも一部の箇所を折り返し代とし、前記靴は内面に前記カバー側係脱手段と係脱可能な生地を備え、前記カバー側係脱手段と前記生地とが係脱可能に係合し、靴の上側開口縁に対応する位置で靴カバーの折り返し代を折返して上側開口縁を被覆した構成としたことによって、カバー側係脱手段である雄面ファスナとこれに係脱可能な生地との係着によって、靴カバーが恒久的にずれることがない。そして、靴カバーを装着した状態においては、前記カバー側係脱手段とこれに対応する生地は靴本体内に隠れ、また、靴カバーをはずした状態においては、靴側係脱手段は靴内に隠れるため、外観を損なうことがない。また、靴カバーの装着によって靴を締め付けないので、着用者の脚を圧迫せず着用者の健康を損なうこともない。更に、靴カバーの装着によって何らかの条跡のような傷を生じることもなく、外観を損なわずに長期に亘って使用することができるという利点がある。そして、靴カバーを装着しない状態で着用しても、靴内面には雄面ファスナに係脱可能な生地を有した構成であるので、着用者の違和感を全く生じないものとすることができる。
【００１４】
請求項４に係る考案によれば、上記請求項１、請求項２又は請求項３記載の考案に係る靴において、異なる柄、デザインを有する靴カバーを用意することで、簡単に靴全体の印象を変更することができ、種々の見栄えの良い靴を実現することができる。
【図面の簡単な説明】
【００１５】
【図１】本考案の実施例１に係る靴カバーを示す斜視図。
【図２】本考案の実施例１に係る靴本体を示す説明図。
【図３】本考案の実施例１に係る靴本体と靴カバーを示す説明図。
【図４】本考案の実施例１に係る靴本体と靴カバーを係着した状態を示す説明図。
【図５】本考案の実施例１に係る靴を示す説明図。
【図６】本考案の実施例２に係る靴本体と靴カバーを示す説明図。
【図７】本考案の他の実施例に係る靴を着用した状態を示す説明図。
【考案を実施するための形態】
【００１６】
靴本体における上側開口縁に靴カバーを備えた靴において、前記靴カバーは、編地若しくは織地からなり上下に開口した筒状体とし、中央より下方の外面にカバー側係脱手段である雄面ファスナを備え、該カバー側係脱手段よりも上部となる少なくとも一部の箇所を折り返し代とし、前記靴本体は靴内面の上縁近傍に前記カバー側係脱手段に対応する靴側係脱手段である雌面ファスナを備え、前記カバー側係脱手段と靴側係脱手段とが係脱可能に係合し、靴本体の上側開口縁に対応する位置で靴カバーの折り返し代を折返して上側開口縁を被覆した構成としたことで、カバー側係脱手段と靴側係脱手段との係着によって、靴カバーが恒久的にずれることがなく、いずれの係脱手段も靴内に隠れるため外観を損なうことがなく、靴本体を締め付けないので、着用者の脚を圧迫せず着用者の健康を損なうこともない、優れた靴を実現した。
【実施例１】
【００１７】
本考案の実施例１に係る靴１は、ブーツであって、図５に示すように、靴本体２と靴カバー３とからなる。靴本体２は、図２に示すように、足を収納する足収納部２５と該足収納部２５から上方へ連続して脚を被覆するブーツ胴筒２０を有する。ブーツ胴筒２０の内面であるブーツ胴筒内面２１において、上側開口縁から２ｃｍ程度下がった位置を上端位置として、周方向の四箇所（即ち、前、後、左、右の四箇所）に、縦２ｃｍ、横４ｃｍ程度の雌面ファスナテープ２３を縫着した構成である。
【００１８】
本考案の実施例１に係る靴カバー３は、図１に示すように、直径約１０ｃｍ程度、高さ約１４ｃｍ程度の円筒形状であり、柔軟性及び伸縮性を有する編地を折り返しその縁相互を縫合して下縁３１とし、二重として形成してある。伸縮性は、上下方向よりも径方向の伸縮性を大きくしてある。前記下縁３１から高さ約２ｃｍの範囲で幅３ｃｍ程度の雄面ファスナテープ３３を四箇所に縫着してある。本実施例１においては、靴本体２における雌面ファスナテープ２３の取着位置との関係から、靴カバー３における雄面ファスナテープ３３を設けた位置より上方から２ｃｍ上となる位置が、概ね折り返し代３０を形成するための山折線位置３２となる。
【００１９】
図３に示すように、上記靴本体２の雌面ファスナテープ２３の雌係合子と、靴カバー３の雄面ファスナテープ３３の雄係合子とを係着し、次いで、図４に示すように、靴本体２の上側開口縁２２から突出した靴カバー３の折り返し代を前記山折線位置で折返すことで、図５に示す実施例１に係る靴１を構成する。
【実施例２】
【００２０】
本実施例２に係る靴１は、図５に示す実施例１と同様に靴本体２と靴カバー３から構成する。実施例２に係る靴カバー３は図１に示す実施例１と同一のものを用いている。本実施例２は、靴本体２の構成が実施例１と相違する。
【００２１】
本実施例２に係る靴本体２は、足を収納する足収納部２５と該足収納部２５から上方へ連続して脚を被覆するブーツ胴筒２０を有する。本実施例２における靴本体２のブーツ胴筒内面２１には、実施例１のような部分的な雌面ファスナテープ２３を備えるものではなく、ブーツ胴筒内面２１に、雄面ファスナテープの雄係合子が係脱可能となる生地である編地２４を設けた構成としている。
【００２２】
図６に示すように、上記靴本体２のブーツ胴筒内面２１の編地と、靴カバー３の雄面ファスナテープ３３の雄係合子とを係着し、靴本体２の上側開口縁２２から突出した靴カバー３の折り返し代を前記山折線位置３２で折返すことで、実施例２に係る靴１を構成する。
【００２３】
以上の実施例２の構成によれば、靴カバー３を取外した状態での使用において、雌係合子がブーツ胴筒内面２１に部分的に突出することがないことから、より一層着用者に違和感を生じないものとすることができる。また、着用者の足と靴の隙間を埋めることによって、靴内の保温性を高めることができる。
【００２４】
尚、実施例２における雄係合子が係脱可能となる生地は、特に限定しないが、例えば、パイル生地や起毛生地等とすることができる。
【００２５】
また、上記実施例１、２においては、係脱手段として基本的に面ファスナを使用したが、本考案はこれに限るものではなく、例えば、ホックやスナップボタンを用いることもできる。しかしながら、上記実施例１，２では、面ファスナはこれに対応した生地を用いることによって、着用者の違和感を略なくすことができる点で、より優れたものとすることができる。
【００２６】
本考案における面ファスナは、雄面ファスナ、雌面ファスナのみならず雌雄混在の面ファスナを用いることもできる。また、面ファスナの取付箇所については、靴本体２、靴カバー３のいずれにおいても、実施例１に開示するものに限らず、夫々につき、周状若しくは上下方向に面ファスナテープを連続して設ける構成等とすることができる。
【００２７】
更に、本考案においては、上記実施例１及び実施例２で示したブーツ形式のものに限るものではなく、例えば、図７に示すように、一般的なカジュアルシューズやスポーツシューズ等に適用することもできる。
【００２８】
更に、本考案においては、実施例１及び実施例２において、伸縮性を有する編地によって靴カバー３を形成しているが、本考案はこれに限るものではなく、例えば、伸縮性を有しないものであってもよいし、編地に限らず織地等とすることもできる。
【符号の説明】
【００２９】
１      靴
２      靴本体
２０    ブーツ胴筒
２１    ブーツ胴筒内面
２２    上側開口縁
２３    雌面ファスナテープ（実施例１）
２４    編地（実施例２）
２５    足収納部
３      靴カバー
３０    折り返し代
３１    下縁
３２    山折線位置
３３    雄面ファスナテープ
【図１】
0003151622.tif 000003
【図２】
0003151622.tif 000004
【図３】
0003151622.tif 000005
【図４】
0003151622.tif 000006
【図５】
0003151622.tif 000007
【図６】
0003151622.tif 000008
【図７】
0003151622.tif 000009
【手続補正書】
【提出日】平成21年4月24日(2009.4.24)
【手続補正１】
【補正対象書類名】明細書
【補正対象項目名】全文
【補正方法】変更
【補正の内容】
【考案の詳細な説明】
【技術分野】
【０００１】
本考案は、靴本体における上側開口縁に設けられる靴カバーを備えた靴と、該靴に使用する靴カバーに関するものである。
【背景技術】
【０００２】
従来、靴の上側開口縁に取着して靴の装飾性を向上させる種々の靴カバーが考案されている。このような靴カバーとしては、例えば、伸縮性のある帯状リング布で、ブーツの上辺部に被って使用する、着脱式のブーツ装飾品であり、当該装飾品自体のみに留め具を設けてリングの内径を変更することで、締め具合を調節できる構成を有する靴カバーと該靴カバーを備えた靴（例えば、特許文献１参照。）が公知である。
【０００３】
また、通気性があり、柔らかで弾力性のある布を縫製して作製し、足の形状に合わせて上が大きく下が小さい筒型をした装着部と、上下が密封された袷布の装飾物で、上端の縁には縫い線があり、上端部に特殊なデザインの飾り部分があり、縫い線の下の周囲に折り目、或いはウェーブ状の模様がある装飾部とからなり、装着部の大きい開口部は装飾部の縫い線とともに縫製されて一体となり、装飾部と装着部との間には、空間が形成され、安定してブーツの縁に取り付け可能であり、同時に、装飾部に対応する飾り部分があって、全体を美しく見せ、ブーツに重なって効果的に装飾効果を生み出すことを特徴とする靴カバー（例えば、特許文献２参照。）が公知である。
【０００４】
一方、靴カバーを備えた靴ではないが、足部と、該足部の上方に延びる筒状の脛部とを備えてなるブーツであって、前記脛部は、前記足部に一体的に設けられて前記足部から上方に延びる下部脛部と、前記下部脛部の上方部を覆うようにして着脱自在に設けられ前記上方部から上方に延びる上部脛部とで形成されており、前記上方部は、前記上部脛部が取り外された状態において外側へ折り返し可能な折返し部と、前記折返し部が外側へ折り返されることにより前記折返し部で覆われることとなる被折返し部とで形成されており、前記折返し部の内周面には、外装処理が施されており、前記被折返し部の外周面）には、前記上部脛部を固定する第１の止め具が設けられていることを特徴とするブーツ（例えば、特許文献３参照。）の構成が公知である。
【先行技術文献】
【特許文献】
【０００５】
【特許文献１】登録実用新案第３０７９８７８号公報
【特許文献２】登録実用新案第３０９６３６１号公報
【特許文献３】登録実用新案第３０９８６９１号公報
【考案の概要】
【考案が解決しようとする課題】
【０００６】
上記特許文献１に係る考案の基本構成によれば、使用時に靴カバーがずれる虞がある。また、上記特許文献１には、ずれを防止するための手段として、ブーツを締め付けることで固定することが開示されているが、靴カバーを締め付けることで脚を圧迫することとなり、着用者の健康を損なう虞がある。更に、度重なる靴カバーの装着により、ブーツの締め付けを行った箇所に、条跡がつき、ブーツの外観を損ねる虞がある。
【０００７】
また、特許文献２に係る考案は、その構成から幾分、靴カバーのずれを防止できるものであるが、その構成から完全にずれを解消するものではなく、根本的な解決には至らないものであった。
【０００８】
一方、特許文献３に係る考案は、ロングブーツとショートブーツを兼用できるブーツであり、靴カバーの構成を開示するものではないが、上部脛部が下部脛部の上側開口部に取着される構成であり、ずれを防止可能な構成であり、ずれない靴カバーを構成可能であるとも考えられる。しかしながら、当該構成によれば、ロングブーツの状態であっても、上側脛部を取外したショートブーツの状態であっても、常に化粧金具がブーツの表面に露呈することとなるから、決して見栄えが良いとはいえない。
【０００９】
本考案は以上の事情に鑑みてなされたものであり、着用者の脚を圧迫せず着用者の健康を損なうこともなく、靴カバーのずれを根本的に解消でき、靴カバーを取り付けた状態であっても、靴カバーを取外した状態であっても、常に良好な見栄えを保つことができる、優れた靴の提供を、考案が解決しようとする課題とする。
【課題を解決するための手段】
【００１０】
本考案は、靴本体における上側開口縁に靴カバーを備えた靴において、前記靴カバーは、編地若しくは織地からなり上下に開口した筒状体とし、中央より下方の外面にカバー側係脱手段を備え、カバー側係脱手段よりも上部となる少なくとも一部の箇所を折り返し代とし、前記靴本体は靴内面の上縁近傍に前記カバー側係脱手段に対応する靴側係脱手段を備え、前記カバー側係脱手段と靴側係脱手段とが係脱可能に係合し、靴の上側開口縁に対応する位置で靴カバーの折り返し代を折返して上側開口縁を被覆した構成としたことを特徴とする靴を、課題を解決するための手段とする。
【考案の効果】
【００１１】
請求項１に係る考案によれば、靴カバーの構成を、編地若しくは織地からなり上下に開口した筒状体とし、中央より下方の外面にカバー側係脱手段を備え、カバー側係脱手段よりも上部となる少なくとも一部の箇所を折り返し代とし、一方、靴本体は靴内面の上縁近傍に前記カバー側係脱手段に対応する靴側係脱手段を備えた構成とし、前記カバー側係脱手段と靴側係脱手段とが係脱可能に係合し、靴本体の上側開口縁に対応する位置で靴カバーの折り返し代を折返して上側開口縁を被覆した構成としたから、カバー側係脱手段と靴側係脱手段との係着によって、靴カバーが恒久的にずれることがない。そして、靴カバーを装着した状態においては、前記カバー側係脱手段と靴側係脱手段は靴本体内に隠れ、また、靴カバーをはずした状態においては、靴側係脱手段は靴内に隠れるため、外観を損なうことがない。また、靴カバーの装着によって靴を締め付けないので、着用者の脚を圧迫せず着用者の健康を損なうこともない。更に、靴カバーの装着によって何らかの条跡のような傷を生じることもなく、外観を損なわずに長期に亘って使用することができるという利点がある。
【００１２】
請求項２に係る考案によれば、上記請求項１に係る考案の作用効果を奏するものとした上で、カバー側係脱手段及び靴側係脱手段は相互に対応する雌雄係合子を有する面ファスナとしたことによって、靴カバーを外した状態で靴を着用する際には、面ファスナが柔軟性を有するため、着用者が面ファスナによる違和感を生じがたいものとすることができる。
【００１３】
請求項３に係る考案によれば、靴の上側開口縁に靴カバーを備えた靴において、前記靴カバーは、編地若しくは織地からなり上下に開口した筒状体とし、中央より下方の外面にカバー側係脱手段として雄面ファスナを備え、カバー側係脱手段よりも上部となる少なくとも一部の箇所を折り返し代とし、前記靴は内面に前記カバー側係脱手段と係脱可能な生地を備え、前記カバー側係脱手段と前記生地とが係脱可能に係合し、靴の上側開口縁に対応する位置で靴カバーの折り返し代を折返して上側開口縁を被覆した構成としたことによって、カバー側係脱手段である雄面ファスナとこれに係脱可能な生地との係着によって、靴カバーが恒久的にずれることがない。そして、靴カバーを装着した状態においては、前記カバー側係脱手段とこれに対応する生地は靴本体内に隠れ、また、靴カバーをはずした状態においては、靴側係脱手段は靴内に隠れるため、外観を損なうことがない。また、靴カバーの装着によって靴を締め付けないので、着用者の脚を圧迫せず着用者の健康を損なうこともない。更に、靴カバーの装着によって何らかの条跡のような傷を生じることもなく、外観を損なわずに長期に亘って使用することができるという利点がある。そして、靴カバーを装着しない状態で着用しても、靴内面には雄面ファスナに係脱可能な生地を有した構成であるので、着用者の違和感を全く生じないものとすることができる。
【００１４】
請求項４に係る考案によれば、編地若しくは織地からなり上下に開口した筒状体とし、中央より下方の外面にカバー側係脱手段を備え、カバー側係脱手段よりも上部となる少なくとも一部の箇所を折り返し代とし、前記カバー側係脱手段は、靴の内側に設けた靴側係脱手段若しくは靴の内側に設けた生地と、係脱可能となることを特徴とする靴カバーを、異なる柄、デザインとすることで、簡単に靴全体の印象を変更することができ、カバー側係脱手段と前記生地若しくは靴側係脱手段によって、靴カバーが靴に対してずれることがない。また、いずれの係脱手段も靴内に隠れるために見栄えを良くすることができる。
【図面の簡単な説明】
【００１５】
【図１】本考案の実施例１に係る靴カバーを示す斜視図。
【図２】本考案の実施例１に係る靴本体を示す説明図。
【図３】本考案の実施例１に係る靴本体と靴カバーを示す説明図。
【図４】本考案の実施例１に係る靴本体と靴カバーを係着した状態を示す説明図。
【図５】本考案の実施例１に係る靴を示す説明図。
【図６】本考案の実施例２に係る靴本体と靴カバーを示す説明図。
【図７】本考案の他の実施例に係る靴を示す説明図。
【考案を実施するための形態】
【００１６】
靴本体における上側開口縁に靴カバーを備えた靴において、前記靴カバーは、編地若しくは織地からなり上下に開口した筒状体とし、中央より下方の外面にカバー側係脱手段である雄面ファスナを備え、該カバー側係脱手段よりも上部となる少なくとも一部の箇所を折り返し代とし、前記靴本体は靴内面の上縁近傍に前記カバー側係脱手段に対応する靴側係脱手段である雌面ファスナを備え、前記カバー側係脱手段と靴側係脱手段とが係脱可能に係合し、靴本体の上側開口縁に対応する位置で靴カバーの折り返し代を折返して上側開口縁を被覆した構成としたことで、カバー側係脱手段と靴側係脱手段との係着によって、靴カバーが恒久的にずれることがなく、いずれの係脱手段も靴内に隠れるため外観を損なうことがなく、靴本体を締め付けないので、着用者の脚を圧迫せず着用者の健康を損なうこともない、優れた靴を実現した。
【実施例１】
【００１７】
本考案の実施例１に係る靴１は、ブーツであって、図５に示すように、靴本体２と靴カバー３とからなる。靴本体２は、図２に示すように、足を収納する足収納部２５と該足収納部２５から上方へ連続して脚を被覆するブーツ胴筒２０を有する。ブーツ胴筒２０の内面であるブーツ胴筒内面２１において、上側開口縁から２ｃｍ程度下がった位置を上端位置として、周方向の四箇所（即ち、前、後、左、右の四箇所）に、縦２ｃｍ、横４ｃｍ程度の雌面ファスナテープ２３を縫着した構成である。
【００１８】
本考案の実施例１に係る靴カバー３は、図１に示すように、直径約１０ｃｍ程度、高さ約１４ｃｍ程度の円筒形状であり、柔軟性及び伸縮性を有する編地を折り返しその縁相互を縫合して下縁３１とし、二重として形成してある。伸縮性は、上下方向よりも径方向の伸縮性を大きくしてある。前記下縁３１から高さ約２ｃｍの範囲で幅３ｃｍ程度の雄面ファスナテープ３３を四箇所に縫着してある。本実施例１においては、靴本体２における雌面ファスナテープ２３の取着位置との関係から、靴カバー３における雄面ファスナテープ３３を設けた位置より上方から２ｃｍ上となる位置が、概ね折り返し代３０を形成するための山折線位置３２となる。
【００１９】
図３に示すように、上記靴本体２の雌面ファスナテープ２３の雌係合子と、靴カバー３の雄面ファスナテープ３３の雄係合子とを係着し、次いで、図４に示すように、靴本体２の上側開口縁２２から突出した靴カバー３の折り返し代を前記山折線位置で折返すことで、図５に示す実施例１に係る靴１を構成する。
【実施例２】
【００２０】
本実施例２に係る靴１は、図５に示す実施例１と同様に靴本体２と靴カバー３から構成する。実施例２に係る靴カバー３は図１に示す実施例１と同一のものを用いている。本実施例２は、靴本体２の構成が実施例１と相違する。
【００２１】
本実施例２に係る靴本体２は、足を収納する足収納部２５と該足収納部２５から上方へ連続して脚を被覆するブーツ胴筒２０を有する。本実施例２における靴本体２のブーツ胴筒内面２１には、実施例１のような部分的な雌面ファスナテープ２３を備えるものではなく、ブーツ胴筒内面２１に、雄面ファスナテープの雄係合子が係脱可能となる生地である編地２４を設けた構成としている。
【００２２】
図６に示すように、上記靴本体２のブーツ胴筒内面２１の編地と、靴カバー３の雄面ファスナテープ３３の雄係合子とを係着し、靴本体２の上側開口縁２２から突出した靴カバー３の折り返し代を前記山折線位置３２で折返すことで、実施例２に係る靴１を構成する。
【００２３】
以上の実施例２の構成によれば、靴カバー３を取外した状態での使用において、雌係合子がブーツ胴筒内面２１に部分的に突出することがないことから、より一層着用者に違和感を生じないものとすることができる。また、着用者の足と靴の隙間を埋めることによって、靴内の保温性を高めることができる。
【００２４】
尚、実施例２における雄係合子が係脱可能となる生地は、特に限定しないが、例えば、パイル生地や起毛生地等とすることができる。
【００２５】
また、上記実施例１、２においては、係脱手段として基本的に面ファスナを使用したが、本考案はこれに限るものではなく、例えば、ホックやスナップボタンを用いることもできる。しかしながら、上記実施例１、２では、面ファスナはこれに対応した生地を用いることによって、着用者の違和感を略なくすことができる点で、より優れたものとすることができる。
【００２６】
本考案における面ファスナは、雄面ファスナ、雌面ファスナのみならず雌雄混在の面ファスナを用いることもできる。また、面ファスナの取付箇所については、靴本体２、靴カバー３のいずれにおいても、実施例１に開示するものに限らず、夫々につき、周状若しくは上下方向に面ファスナテープを連続して設ける構成等とすることができる。
【００２７】
更に、本考案においては、上記実施例１及び実施例２で示したブーツ形式のものに限るものではなく、例えば、図７に示すように、一般的なカジュアルシューズやスポーツシューズ等に適用することもできる。
【００２８】
更に、本考案においては、実施例１及び実施例２において、伸縮性を有する編地によって靴カバー３を形成しているが、本考案はこれに限るものではなく、例えば、伸縮性を有しないものであってもよいし、編地に限らず織地等とすることもできる。
【符号の説明】
【００２９】
１      靴
２      靴本体
２０    ブーツ胴筒
２１    ブーツ胴筒内面
２２    上側開口縁
２３    雌面ファスナテープ（実施例１）
２４    編地（実施例２）
２５    足収納部
３      靴カバー
３０    折り返し代
３１    下縁
３２    山折線位置
３３    雄面ファスナテープ
【手続補正２】
【補正対象書類名】実用新案登録請求の範囲
【補正対象項目名】全文
【補正方法】変更
【補正の内容】
【実用新案登録請求の範囲】
【請求項１】
上側開口縁に靴カバーを備えた靴において、前記靴カバーは、編地若しくは織地からなり上下に開口した筒状体とし、中央より下方の外面にカバー側係脱手段を備え、カバー側係脱手段よりも上部となる少なくとも一部の箇所を折り返し代とし、前記靴は胴筒内面の上縁近傍に前記カバー側係脱手段に対応する靴側係脱手段を備え、前記カバー側係脱手段と靴側係脱手段とが係脱可能に係合し、靴の上側開口縁に対応する位置で靴カバーの折り返し代を折返して上側開口縁を被覆した構成としたことを特徴とする靴。
【請求項２】
カバー側係脱手段及び靴側係脱手段は相互に対応する雌雄係合子を有する面ファスナとしたことを特徴とする請求項１記載の靴。
【請求項３】
上側開口縁に靴カバーを備えた靴において、前記靴カバーは、編地若しくは織地からなり上下に開口した筒状体とし、中央より下方の外面にカバー側係脱手段として雄面ファスナを備え、カバー側係脱手段よりも上部となる少なくとも一部の箇所を折り返し代とし、前記靴は内面に前記カバー側係脱手段と係脱可能な生地を備え、前記カバー側係脱手段と前記生地とが係脱可能に係合し、靴の上側開口縁に対応する位置で靴カバーの折り返し代を折返して上側開口縁を被覆した構成としたことを特徴とする靴。
【請求項４】
編地若しくは織地からなり上下に開口した筒状体とし、中央より下方の外面にカバー側係脱手段を備え、カバー側係脱手段よりも上部となる少なくとも一部の箇所を折り返し代とし、
前記カバー側係脱手段は、靴の内側に設けた靴側係脱手段若しくは靴の内側に設けた生地と、係脱可能となることを特徴とする靴カバー。